(57)【要約】      （修正有）【課題】膝に装着した時には膝関節を中心に大腿部と下腿部の内旋・外旋の捻れ過ぎを抑えることができ、サポーターの最大の課題である装着後のずり落ちを防ぐ３次元螺旋状のサポーターを提供する。【解決手段】伸縮性を有する１本の弾性帯１の両端部１ａ，１ｂの何れか一方を螺旋状に３６０度捻って縫製又は溶着等により接合させ、更にこれにより弾性帯のクロスする適宜箇所２を縫製又は溶着等により接合することにより２つの環状部を有する８の字状に立体的に交叉する。【選択図】図１
0003152361.tif 000002
【実用新案登録請求の範囲】
【請求項１】
伸縮性を有する帯の両端部の何れか一方を捻回させてそれぞれの両端部を接合させ、更にこれにより上記帯のクロスする適宜箇所を接合して２つの環状部を形成するようにしたことを特徴とする３次元螺旋サポーター。
【請求項２】
膝、肘、手親指、足首、両肩のサポーターとして用いる請求項１に記載される３次元螺旋サポーター。
【請求項３】
一方の環状部の両側面に切り込み部を設けた足首に装着される請求項１に記載される３次元螺旋サポーター。
【考案の詳細な説明】
【技術分野】
【０００１】
この考案は、所謂ランナー膝、野球肘の防止に有効な３次元螺旋サポーターに関するものである。
【背景技術】
【０００２】
ここ数年来のマラソンやジョギングのブームに伴い、走り過ぎが原因の膝痛、所謂ランナー膝と呼ばれるランニング障害に悩むジョギング愛好者が増えてきている。
【０００３】
ランナー膝とは、膝関節を繋ぐ筋肉・腱の炎症（腸脛靱帯炎、・鵞足炎）の総称であり、膝関節から上の大腿部Aと下の下腿部Bの捻れ過ぎが原因の一つで痛みを引き起こしてしまう。
【０００４】
これを図９に基づいて説明すると、走る動作は、足を伸ばして地面に着地する時には大腿部Aは外側方向（C)に下腿部Bは内側方向(D)に捻れ、地面を蹴って足を曲げる時には逆に大腿部Aは内側方向(D)に、下腿部Bは外側方向(C)に捻れる。
【０００５】
つまり、膝関節Eを支点に大腿部Aと下腿部Bは常に逆方向に捻れているため、走り過ぎると徐々に捻れが大きくなり大腿部Aの外側の筋肉が骨と擦れて腸脛靱帯炎を、内側の筋肉が骨と擦れて鵞足炎を引き起こしてしまう。
【０００６】
また、野球のスポーツ障害で多い所謂野球肘は、投球動作でボールをリリースする瞬間に前腕部が外反して内側に捻れて肘関節内側の靱帯の付着部が引き離される「内側型」と、変化球の投げ過ぎにより肘関節外側の骨同士がぶつかる「外側型」があるが、何れも前腕部の内側、外側への捻れ過ぎが障害の原因である。
【０００７】
一方、従来の膝関節等を中心として装着されるサポーターとしては、編み立てサポーター（図１０）（実開平1-12628号、特開平11-206947号）、カットソーで構成されたネオプレーンサポーター（図１１）などの筒状のサポーター、表面生地に雌面ファスナーを使用し、締め付けや圧迫の調節が可能なベルトを取り付けた、フルオープンタイプ（図１２）やセミオープンタイプ（図１３）のサポーター、フリーに巻き付けることができるラップ式のバンド（図１４）等がある。
【先行技術文献】
【特許文献】
【０００８】
【特許文献１】実開平1-12628号、特開平11-206947号
【考案の概要】
【考案が解決しようとする課題】
【０００９】
しかし、通常の編み立てやカットソーで構成されたネオプレートなどの筒状のサポーターは、伸縮方向が縦と横方向のためベクトル（力の方向と量）が螺旋状に働かず、関節の捻れに対応ができない欠点がある。
【００１０】
また、表面生地に雌面ファスナーを使用し、締め付けや圧迫の調節が可能なベルトを取り付けた、フルオープンタイプやセミオープンタイプのサポーターは、目的が関節の前後左右のブレを防止させることであるため、捻れに対応できない欠点がある。
【００１１】
更に、フリーに巻き付けることができるラップ式のバンドは、バンドを片方向に螺旋状に巻き付けるため起点と終点が存在し、引っ張る力と引き戻すベクトルの作用が片方向にしか働かない欠点がある。
【００１２】
ランナー膝にしても野球肘にしても、障害の原因は関節の捻れ過ぎであり、従来のサポーターは関節の捻れに対応ができず、特に膝のサポーターの場合はずれ落ちの問題がある。
【課題を解決するための手段】
【００１３】
この考案は、上記実情に鑑み、伸縮性を有する帯の両端部の何れか一方を捻回させてそれぞれの両端部を接合させ、更にこれにより上記帯のクロスする適宜箇所を接合して２つの環状部を形成するようにした３次元螺旋サポーターを提案するものである。
【００１４】
則ち、この考案は伸縮性を有する１本の弾性帯の両端の何れか一方を螺旋状に３６０度捻って縫製又は溶着等により接合させ、更にこれにより弾性帯のクロスする適宜箇所を縫製又は溶着等により接合することにより２つの環状部を有する８の字状に立体的に交叉する３次元螺旋状のサポーターが形成される。
【考案の効果】
【００１５】
この考案に係るサポーターは、主には膝、肘、手親指、足首、両肩のサポーターとして用いるものであるが、以上の構造であるため、常に引っ張る力と引き戻そうとする力のベクトル（力の方向と量）が立体的な８の字で形成された帯の中で交互に螺旋状に働くため、膝に装着した時には膝関節を中心に大腿部と下腿部の内旋・外旋の捻れ過ぎを抑えることができ、サポーターの最大の課題である装着後のずり落ちを防ぐことができる。
【００１６】
また、肘の装着時には肘関節を中心に前腕部の回内・回外の捻れ過ぎを、足首の装着時には足関節の内反を、手親指の装着時にはＭＰ関節の過伸展を押させることができ、両肩の装着時には肩関節を後方斜めに上に引っ張り上げることができる。
【００１７】
更に、この考案に係るストッパーは８の字状にクロスする適宜箇所を縫製又は溶着等により接合することで装着が簡単になり、接合箇所がストッパーの役割を果たしてベクトル（力の方向と量）を弱めて関節や筋肉などに余分な締め付けや圧迫感を与えない等の効果を呈することができる。
【００１８】
なお、この考案に係るサポーターを足首サポーターとして用いる場合に、一方の環状部の両側に切り込みを設けることで、特に通常の足首サポーターの装着方法の他に、切り込みを親指と小指の股部分に掛けることで、高齢者の転倒の主な原因となる歩行時のつま先下がりに対応し、効果的につま先を挙げることができる。
【図面の簡単な説明】
【００１９】
【図１】この考案の一実施例に係るサポーターの形成過程を示す図で、(a)両端の一方を捻る前の弾性帯の状態を示す図、（ｂ）両端の一方を１８０度捻る状態と更に３６０度捻る状態を示す図、（ｃ）形成された３次元螺旋状の弾性帯の両端とクロスした中心部を接合した状態を示す図
【図２】この考案の一実施例に係るサポーターを示す図(a)と同上のサポーターを膝に装着した状態を示す側面図（ｂ）と背面図（ｃ）
【図３】この考案に係るサポーターを肘に装着した状態を示すもので、(a)は正面図、（ｂ）は背面図
【図４】この考案に係るサポーターを両肩に装着した状態を示すもので、(a)は正面図、（ｂ）は背面図
【図５】この考案に係るサポーターを手親指に装着する状態と装着時において作用するベクトルを示すもので、(a)は一方の環状部にを手首に挿入する状態を示す図、（ｂ）は他方の環状部に親指を挿入する状態を示す図、（ｃ）は手親指に装着された状態を示す図、（ｄ）は装着時において作用するベクトルを示す図
【図６】この考案に係るサポーターによる通常の足首に装着する状態を示すもので(a)は側面図、（ｂ）は正面図
【図７】この考案の足首サポーター他の実施例を示す図
【図８】同上の他の実施例に係るサポーターにおよる足首に装着される状態を示す図で、（a）は通常の足首装着状態を示す図、（ｂ）は切り込みを親指と小指の股部分に掛けた状態とそのときに作用するベクトルを示す図、（ｃ）は（ｂ）の側面図
【図９】膝関節を繋ぐ筋肉・腱の炎症の発生原因の説明図
【図１０】編み立てサポーターとその装着状態を示す図
【図１１】ネオプレーンサポーターとその装着状態を示す図
【図１２】ラップ式バンドとその装着状態を示す図
【図１３】フルオープンタイプのサポーターの装着状態を示す図
【図１４】セミオープンタイプのサポーターの装着状態を示す図
【考案を実施するための形態】
【００２０】
伸縮性を有する１本の弾性帯の両端の何れか一方を螺旋状に３６０度捻って縫製又は溶着等により接合させ、更にこれにより弾性帯のクロスする適宜箇所を縫製又は溶着等により接合することにより２つの環状部を有する８の字状に立体的に交叉する３次元螺旋状のサポーターであって、膝に装着した時には膝関節を中心に大腿部と下腿部の内旋・外旋の捻れ過ぎを抑えることができ、サポーターの最大の課題である装着後のずり落ちを防ぐことができる。
【実施例１】
【００２１】
図１は、この考案の一実施例に係るサポーターの形成過程を示すもので、伸縮性を有する帯１は、その両端部1a，1bを並べ（a）、次に一端部1bを１８０度捻り、更に３６０度捻る（ｂ）、その後両端部1a,1bを溶着し、帯１がクロスする中心部２を逢着して２つの環状部３、４を有する８の字状に立体的に交叉する３次元螺旋状のサポーター５が形成される。
【００２２】
図２は、同上のサポーター５を膝に装着した状態を示すものであるが、これにより膝関節を中心に大腿部と下腿部の内旋・外旋の捻れ過ぎを抑えることができ、サポーターの最大の課題である装着後のずり落ちを防ぐことができる。
【００２３】
図３は、同上のサポーター５を肘に装着した状態を示すものであるが、これにより肘関節を中心に前腕部の回内・回外の捻れ過ぎを押さえることができるのである。
【００２４】
図４は、同上のサポーター５を両肩に装着した状態を示すものであるが、これにより肩関節を後方斜めに上に引っ張り上げることができる。
【００２５】
図５は、同上のサポーター５を手親指に装着する状態と装着時において作用するベクトルを示すもので、サポーター５の一方の環状部３に手首に挿入し(a)、次には他方の環状部４に親指を挿入し、サポーター５を手親指に装着する（ｃ）。
【００２６】
以上のようなサポーター５が手親首に装着された状態においては、図５（ｄ）に示すように常に引っ張る力とと引き戻そうとする力のベクトル（力の方向と量）が立体的な８の字で形成された帯の中心部２で交互に螺旋状に働くため、ＭＰ関節の過伸展を押させることができるのである。
【００２７】
図６は、同上のサポーターを足首に装着した状態を示すものであるが、これにより足首の装着時には足関節の内反を押さえることができる。
【実施例２】
【００２８】
図７は、この考案の足首サポーター他の実施例を示すものであり、サポーター５の環状部３の両側には切り込み６、７を形成してある。
【００２９】
図８は、同上のサポーター５を足首に装着される状態を示す図で、図６に示すように通常の足首に装着した後（a）、切り込み６を親指の股部分に掛け、切り込み７を小指の股部分に掛けて装着するものである。
【００３０】
以上のようにサポーター５が足首に装着される状態においては図８（ｂ）（ｃ）に示すようにベクトルが作用するが、高齢者の転倒の主な原因となる歩行時のつま先下がりに対応し、効果的につま先を挙げることができる。
【産業上の利用可能性】
【００３１】
この考案によれば、走り過ぎが原因の膝痛、所謂ランナー膝、野球のスポーツ障害で多い所謂野球肘等を効果的に予防するサポーターを提供できる。
【符号の説明】
【００３２】
１は伸縮性を有する帯
1a,1bは帯の両端部
２は帯がクロスする中心部
３，４は２つの環状部
５はサポーター
６，７は切り込み
【図１】
0003152361.tif 000003
【図２】
0003152361.tif 000004
【図３】
0003152361.tif 000005
【図４】
0003152361.tif 000006
【図５】
0003152361.tif 000007
【図６】
0003152361.tif 000008
【図７】
0003152361.tif 000009
【図８】
0003152361.tif 000010
【図９】
0003152361.tif 000011
【図１０】
0003152361.tif 000012
【図１１】
0003152361.tif 000013
【図１２】
0003152361.tif 000014
【図１３】
0003152361.tif 000015
【図１４】
0003152361.tif 000016